(57)【特許請求の範囲】
【請求項１】
映像表示装置で使用されるバックライトユニットの光拡散板を支持するバックライトユニット用の支持部材であって、
当該支持部材は、透明材質で形成され、当該支持部材は、前記光拡散板の下部に設けられて前記光拡散板を支持し、第１段が前記光拡散板と接触する支持部と、前記支持部の第２段に形成され、前記支持部を前記バックライトユニットの下部シャーシに固定するベースとを含み、
前記ベースは、前記バックライトユニットの下部シャーシに形成される固定孔に挿入される固定突起を含み、前記ベースは、前記支持部に対して直角に形成され且つ前記支持部の第１段までの距離が異なる少なくとも２つの基準面を含むことを特徴とする、
バックライトユニット用の支持部材。
【請求項２】
前記支持部は、平板状に形成され、前記第１段の幅が前記第２段の幅より狭いことを特徴とする、請求項１に記載のバックライトユニット用の支持部材。
【請求項３】
前記支持部の前記第１段と前記第２段とを連結する両側面は、直線と、凹曲線と、凸曲線および階段状のうち、少なくともいずれか一つの形状に形成されることを特徴とする、請求項２に記載のバックライトユニット用の支持部材。
【請求項４】
前記支持部の第１段は、前記光拡散板と点接触することを特徴とする、請求項２に記載のバックライトユニット用の支持部材。
【請求項５】
前記光拡散板と接触する前記支持部の第１段の面積は、４ｍｍ２より小さいことを特徴とする、請求項４に記載のバックライトユニット用の支持部材。
【請求項６】
前記支持部の厚さは、２ｍｍより小さいことを特徴とする、請求項１に記載のバックライトユニット用の支持部材。
【請求項７】
前記ベースの上面に設けられ、前記支持部の前面と後面のうち、少なくともいずれか一方を支持するように形成された補強部を更に含むことを特徴とする、請求項１に記載のバックライトユニット用の支持部材。
【請求項８】
前記補強部は、前記支持部の前面と後面とを全て支持するように形成されることを特徴とする請求項７に記載のバックライトユニット用の支持部材。
【請求項９】
前記ベースと前記補強部とは、前記支持部と同一の透明材質で形成されることを特徴とする、請求項７に記載のバックライトユニット用の支持部材。
【請求項１０】
光拡散板と、
前記光拡散板を固定する固定部材と、
前記光拡散板と離隔して設けられる下部シャーシと、
前記下部シャーシの上面に設けられ、前記光拡散板に光を放出する複数の光源と、
前記下部シャーシの上面に前記複数の光源の間に設けられて前記光拡散板を支持する少なくとも１つの支持部材とを含む、
バックライトユニットであって、
前記少なくとも１つの支持部材は、透明材質で形成され、前記少なくとも１つの支持部材は、前記光拡散板の下部に設けられて前記光拡散板を支持し、第１段が前記光拡散板と接触する支持部と、前記支持部の第２段に形成され、前記支持部を前記バックライトユニットの下部シャーシに固定するベースとを含み、
前記ベースは、前記バックライトユニットの下部シャーシに形成される固定孔に挿入される固定突起を含み、前記ベースは、前記支持部に対して直角に形成され且つ前記支持部の第１段までの距離が異なる少なくとも２つの基準面を含むことを特徴とする、
バックライトユニット。
【請求項１１】
前記支持部材は、前記複数の光源のうち、互いに隣接した光源の中央に設けられることを特徴とする請求項１０に記載のバックライトユニット。
【請求項１２】
液晶パネルと、
前記液晶パネルの一側に設けられるバックライトユニットとを含む、
映像表示装置であって、
前記バックライトユニットは、
光拡散板と、
光拡散板を固定する固定部材と、
前記光拡散板と離隔して設けられる下部シャーシと、
前記下部シャーシの上面に設けられ、前記光拡散板に光を放出する複数の光源と、
前記下部シャーシの上面に前記複数の光源の間に設けられて前記光拡散板を支持する少なくとも１つの支持部材とを含み、
前記少なくとも１つの支持部材は、透明材質で形成され、前記少なくとも１つの支持部材は、前記光拡散板の下部に設けられて前記光拡散板を支持し、第１段が前記光拡散板と接触する支持部と、前記支持部の第２段に形成され、前記支持部を前記バックライトユニットの下部シャーシに固定するベースとを含み、
前記ベースは、前記バックライトユニットの下部シャーシに形成される固定孔に挿入される固定突起を含み、前記ベースは、前記支持部に対して直角に形成され且つ前記支持部の第１段までの距離が異なる少なくとも２つの基準面を含むことを特徴とする、
映像表示装置。
【発明の詳細な説明】
【技術分野】
【０００１】
本発明は、平板映像表示装置に使用されるバックライトユニットに関し、より詳細には、平板映像表示装置のバックライトユニットで光拡散板を支持するバックライトユニット用の支持部材に関する。
【背景技術】
【０００２】
映像表示装置の一種である液晶ディスプレイ装置（Ｌｉｑｕｉｄ  Ｃｒｙｓｔａｌ  Ｄｉｓｐｌａｙ  Ａｐｐａｒａｔｕｓ）は、液晶を用いて映像を表示する装置として、テレビやコンピュータモニタのような各種ディスプレイ装置に使用される。
【０００３】
このような液晶ディスプレイ装置は、液晶パネル組立体を含み、液晶パネル組立体はバックライトユニットと液晶パネルを含む。バックライトユニットは、液晶パネルの後方に配置される。
【０００４】
バックライトユニットは、光源が側面に設けられて、導光板が必要なエッジ型（Ｅｄｇｅ−ｌｉｔ）バックライトユニットと、光源が液晶パネルの下側に設けられて、導光板が不要な直下型（Ｄｉｒｅｃｔ−ｌｉｔ）バックライトユニットとに分類されてよい。
【０００５】
光源が液晶パネルの真下に配置される直下型バックライトユニットは、光拡散板（Ｄｉｆｆｕｓｅｒ  Ｐｌａｔｅ）と、光学シートが垂れることを防止するために支持部材を使用する。だが、直下型バックライトユニットを使用する映像表示装置の製造コストを下げるために、光源の数を減らして光拡散板を厚くすることができる。しかし、直下型バックライトユニット１で、光源３の数を減らして、光拡散板５を厚くすると、図１の（ａ）と（ｂ）に示すように、光源３から発せられる光（Ｌ）によって支持部材７の陰９が画面２上に映るという問題が生じる。
【０００６】
よって、直下型バックライトユニットを使用する映像表示装置で光源の数を減らして、光拡散板を厚くしても、陰が画面上にディスプレイされない支持部材が求められている。
【発明の概要】
【発明が解決しようとする課題】
【０００７】
そこで、本発明は、上記問題に鑑みてなされたものであり、本発明の目的とするところは、直下型バックライトユニットを使用する映像表示装置で画面上に陰が映らないバックライトユニット用の支持部材およびそれを備えたバックライトユニットと映像表示装置を提供することにある。
【課題を解決するための手段】
【０００８】
本発明の一側面に係るバックライトユニット用の支持部材は、映像表示装置で使用されるバックライトユニットの光拡散板（Ｄｉｆｆｕｓｅｒ  Ｐｌａｔｅ）を支持するものとして、透明材質で平板状に形成され、前記光拡散板の下部に設けられて前記光拡散板を支持し、第１段が前記光拡散板と接触する支持部と、前記支持部の第２段に形成され、前記支持部を前記バックライトユニットに固定するベースとを含む。
【０００９】
このとき、前記支持部は、前記第１段の幅が前記第２段の幅より狭く形成してよい。
【００１０】
なお、前記支持部の前記第１段と前記第２段とを連結する両側面は、直線と、凹曲線と、凸曲線および階段状のうち、少なくともいずれか一つの形状に形成してよい。
【００１１】
なお、前記支持部の第１段は、前記光拡散板と点接触するように形成してよい。
【００１２】
なお、前記光拡散板と接触する前記支持部の第１段の面積は、４ｍｍ２より小さくてよい。
【００１３】
なお、前記支持部の厚さは、２ｍｍより小さくてよい。
【００１４】
なお、バックライトユニット用の支持部材は、前記ベースの上面に設けられ、前記支持部の前面と後面のうち、少なくともいずれか一方を支持するように形成された補強部を更に含んでよい。
【００１５】
なお、前記補強部は、前記支持部の前面と後面とを全て支持するように形成されてよい。
【００１６】
なお、前記ベースと前記補強部とは、前記支持部と同一の透明材質で形成されてよい。
【００１７】
なお、前記ベースは、前記バックライトユニットの下部シャーシに形成された固定孔に挿入される固定突起を含んでよい。
【００１８】
なお、前記ベースは、前記支持部に対して直角に形成され、前記支持部の第１段までの距離が異なる少なくとも２つの基準面を含んでよい。
【００１９】
本発明の別の側面に係るバックライトユニットは、光拡散板と、前記光拡散板を固定する固定部材と、前記光拡散板と離隔して設けられる下部シャーシと、前記下部シャーシの上面に設けられ、前記光拡散板に光を放出する複数の光源と、前記下部シャーシの上面に前記複数の光源の間に設けられて前記光拡散板を支持するものとして、上述の特徴を有する少なくとも一つの支持部材とを含んでよい。
【００２０】
このとき、前記支持部材は、前記複数の光源のうち、互いに隣接した光源の中央に設けてよい。
【発明の効果】
【００２１】
以上説明したように、本発明によれば、支持部材で光拡散板を支持すると、原価削減のためにバックライトユニットに使用される光源の数を減らし、光拡散板を厚くしても画面に支持部材の陰が映ることを防止することができるようになる。
【図面の簡単な説明】
【００２２】
【図１】従来のバックライトユニットで支持部材によって陰が生じる現象を示す図であり、（ａ）は部分断面図であり、（ｂ）は部分平面図である。
【図２】本発明の一実施形態に係る支持部材を含む液晶パネル組立体を示す部分断面図である。
【図３】本発明の一実施形態に係る支持部材を示す斜視図である。
【図４】図３の支持部材の側面図である。
【図５】図３の支持部材の正面図である。
【図６】本発明の一実施形態に係る支持部材の別の例を示す正面図である。
【図７】本発明の別の実施形態に係る支持部材を示す正面図である。
【図８】本発明の一実施形態に係る支持部材が光拡散板を支持する状態を示す部分断面図である。
【図９】図８の支持部材と同一の支持部材で下部シャーシから図８の支持部材より近い距離に配置された光拡散板を支持する状態を示す部分断面図である。
【図１０】本発明の一実施形態に係る支持部材と隣接した複数の光源の間の配置関係を説明するための図である。
【図１１】本発明の一実施形態に係る支持部材がバックライトユニットに設けられる位置を説明するための図である。
【図１２】本発明の一実施形態に係る支持部材を含む映像表示装置を概念的に示す断面図である。
【発明を実施するための形態】
【００２３】
以下、添付の図を参照して本発明に係るバックライトユニット用の支持部材とそれを備えたバックライトユニット、およびそれを備えた映像表示装置の実施形態について詳細に説明する。以下で説明される実施形態は、発明の理解を促すために、例示的に示すものであり、本発明はここで説明される実施形態と異なるように多様に変形されて実施可能であることを理解すべきである。但し、以下で本発明を説明するうえで、関連の公知機能又は構成要素に対する具体的な説明が、本発明の要旨からかけ離れていると判断される場合、その詳細な説明及び具体的な図示を省略する。なお、添付の図は、発明の理解を促すために、添付図面は実際の寸法で示されたものではなく、一部の構成要素のみを拡大して示すことがある。
【００２４】
図２は、本発明の一実施形態に係る支持部材を含む液晶パネル組立体を示す部分断面図である。
【００２５】
図２を参照すると、本発明の一実施形態に係る液晶パネル組立体１０は、液晶パネル２０と、上部シャーシ３０と、中間モールド４０およびバックライトユニット５０を含んでよい。
【００２６】
液晶パネル２０は、バックライトユニット５０が提供した光（Ｌ）を用いてカラー映像を表示する。液晶パネル２０は、カラーフィルタ層を有するカラーフィルタ基板（図示せず）と薄膜トランジスタを有する薄膜トランジスタ基板（図示せず）とを含み、カラーフィルタ基板と薄膜トランジスタ基板との間には液晶（図示せず）が収容される。液晶パネル２０は、公知の技術を使うことができるため、それに対する詳細な説明は省略する。
【００２７】
上部シャーシ３０と中間モールド４０とは、液晶パネル２０を固定して支持する。中間モールド４０は、長方形状であり、空のフレーム形状に形成される。中間モールド４０の一側には液晶パネル２０の周縁を支持する突出部４１が形成される。上部シャーシ３０は、中間モールド４０の上側に設けられ、中間モールド４０の突出部４１に位置した液晶パネル２０の周縁を固定できるように略「┐」状に形成される。
【００２８】
バックライトユニット５０は、中間モールド４０の下側に設けられ、液晶パネル２０に光（Ｌ）を供給する。このようなバックライトユニット５０は、下部シャーシ６０と、複数の光源７０と、光拡散板８０と、光学シート８２と、少なくとも一つの支持部材１００を含んでよい。
【００２９】
下部シャーシ６０は、光拡散板８０を支持し、複数の光源７０が設置可能な空間を確保できるように形成される。よって、下部シャーシ６０は、床面６１と床面６１の全円周から上側に伸長された側面６３を含む。すなわち、下部シャーシ６０は、液晶パネル２０に対応する大きさと形状の床面６１を有する容器状に形成される。下部シャーシ６０の床面６１には、複数の光源７０から発せられる光（Ｌ）を反射する反射シートが設けられてよい。なお、下部シャーシ６０の床面６１には、少なくとも一つの支持部材１００が設けられる少なくとも一つの固定孔６７が形成される。下部シャーシ６０の側面６３の上段は、図２に示すように、光拡散板８０を支持できるように形成される。下部シャーシ６０の側面６３は、中間モールド４０の下部にスクリューやボルト等のような固定部材（図示せず）で固定される。よって、下部シャーシ６０を中間モールド４０に固定すると、光拡散板８０が下部シャーシ６０の側面６３の上段と中間モールド４０の突出部４１との間に固定される。
【００３０】
複数の光源７０は、下部シャーシ６０の床面６１の上面に設けられる。よって、複数の光源７０は、液晶パネル２０の真下に配置されて液晶パネル２０に光（Ｌ）を放出する。光源７０としては、ＬＥＤ（Ｌｉｇｈｔ  Ｅｍｉｔｔｉｎｇ  Ｄｉｏｄｅ）を使用することができる。複数の光源７０は、印刷回路基板（ＰＣＢ）７１上に設けられる。印刷回路基板７１は、下部シャーシ６０の床面６１に対応する大きさと形状を有する一つの基板で形成してよいが、図１１に示すように、複数の光源７０が一列に配置されたバー（Ｂａｒ）状の印刷回路基板で形成してよい。この場合、液晶パネル２０の大きさに対応するように複数のバー状の印刷回路基板７１が下部シャーシ６０の床面６１に一定の間隔で配置される。バー状の印刷回路基板７１に設けられる光源７０の数と下部シャーシ６０の床面６１に設けられるバー状の印刷回路基板７１の数とは、液晶パネル２０の大きさに応じて適切に定められる。
【００３１】
光拡散板８０は、光学シート８２を支持し、複数の光源７０から発せられる光（Ｌ）を均一に拡散させる。光学シート８２は、光拡散板８０を通過した光（Ｌ）を光学的に変換して液晶パネル２０に供給する。光拡散板８０と光学シート８２とは、従来の直下型バックライトユニット１に使用されるものと同一か類似するため、ここでは詳細な説明を省略する。
【００３２】
支持部材１００は、光拡散板８０を支持できるように光拡散板８０と下部シャーシ６０との間に設けられる。光拡散板８０は、周縁のみが下部シャーシ６０の側面６３によって支持されるため、光拡散板８０の中央部は下に垂れるようになる。映像表示装置２００の画面の大きさが大きくなるほど、光拡散板８０の垂れも大きくなる。よって、支持部材１００は、光拡散板８０の中央部を支持できるように下部シャーシ６０の中央に設けられてよい。図１１は、２つの支持部材１００が下部シャーシ６０の略中央部に設けられたものを示している。図１１において、下部シャーシ６０に２つの支持部材１００が設けられたものは一例に過ぎず、支持部材１００の数を限定するものではない。支持部材１００は、光拡散板８０の大きさと重さに応じて、一つ以上に適切な数が設けられてよい。
【００３３】
本発明の一実施形態に係る支持部材１００は、厚さ（ｔ）が薄い平たい板状に形成されてよい。図３ないし図５は、本発明の一実施形態に係る支持部材１００を示している。図３は、本発明の一実施形態に係る支持部材１００を示す斜視図である。図４は、図３の支持部材１００の側面図であり、図５は、図３の支持部材１００の正面図である。
【００３４】
図３ないし図５を参照すると、本発明の一実施形態に係る支持部材１００は、支持部１１０と、ベース１２０および補強部１３０を含む。
【００３５】
支持部１１０は、透明材質で平板状に形成される。支持部１１０は、透明材料であり、光拡散板８０の重さを支持できるものなら、いかなる材料でも使用してよい。例えば、支持部１１０は、透明なプラスチックや透明樹脂で作られてよい。支持部１１０は、光拡散板８０の下部、すなわち、下部シャーシ６０の床面６１に設けられて光拡散板８０を支持する。支持部１１０の第１段１１１は、光拡散板８０の下面と接触して、第２段１１２はベース１２０と接続される。
【００３６】
支持部１１０は、周囲に配置される複数の光源７０から放出される光（Ｌ）によって陰が生じることを防止できるように、できるだけ薄い平板状に形成することが望ましい。ここで、平板状とは、前面と後面とが互いに平行している平たい板状のことをいう。よって、支持部１１０は、光拡散板８０の重さが支持できれば、できる限り薄く作るほうが望ましい。例えば、支持部１１０は、０.５ｍｍないし２ｍｍの厚さ（ｔ）を有するように形成してよい。支持部１１０を形成する材料の強度が十分に大きい場合には、支持部１１０は０.５ｍｍ以下の厚さ（ｔ）を有するように形成可能であることはいうまでもない。
【００３７】
なお、支持部１１０は、周辺の光源７０から発せられる光（Ｌ）の干渉を最小限化するために、第１段１１１の幅（Ｗ１）が第２段１１２の幅（Ｗ２）より狭い平板状に形成してよい。よって、支持部１１０の第１段１１１は、できるだけ小さい面積をもつように形成することが望ましい。そのために、支持部１１０の第１段１１１は、光拡散板８０と点接触するように形成してよい。例えば、支持部１１０の第１段１１１は４ｍｍ２以下の面積を有するように形成されてよい。例えば、支持部１１０の厚さ（ｔ）が２ｍｍである場合、支持部１１０の第１段１１１は各辺が２ｍｍである正方形の断面で形成してよい。なお、支持部１１０の第１段１１１は半径が２ｍｍである円形断面で形成してよい。支持部１１０の第２段１１２の幅（Ｗ２）は、第１段１１１の幅（Ｗ１）の５倍ないし２０倍くらいにしてよい。例えば、支持部１１０の第１段１１１の幅（Ｗ１）が２ｍｍである場合、第２段１１２の幅（Ｗ２）は１０ｍｍないし２０ｍｍ程度にしてよい。しかし、それは一例に過ぎず、支持部１１０の第２段１１２の幅（Ｗ２）は、光拡散板８０を支持できるものなら、多様な大きさに形成可能である。
【００３８】
支持部１１０の第１段１１１と第２段１１２とを連結する支持部１１０の両側面１１３は、多様な形状に形成されてよい。すなわち、支持部１１０は、前面１１０ａと後面１１０ｂとが平行した平板状に上段（第１段）１１１が狭く、下段（第２段）１１２が広く、両側面１１３は上段１１１と下段１１２を連結できる限り、限定されず多様な形状を有してよい。例えば、支持部１１０の両側面１１３は、直線と、凹曲線と、凸曲線および階段状等で形成されてよい。図３ないし図５に示す支持部材１００の支持部１１０の両側面１１３は、凸曲線の形状に形成されている。図６の（ａ）は、支持部１１０の両側面１１３’が凹曲線である場合を示し、図６の（ｂ）は、支持部１１０の両側面１１３”が直線である場合を示し、図６（ｃ）は支持部１１０の両側面１１３”’が階段状である場合を示す。
【００３９】
ベース１２０は、支持部１１０の第２段１１２に形成され、支持部１１０をバックライトユニット５０、すなわち、下部シャーシ６０に固定する。ベース１２０は、支持部１１０に対して垂直に形成されて支持部１１０が下部シャーシ６０の床面６１に対して直角となるようにする。ベース１２０は、円形や長方形、正方形等の多様な形状の断面をもつように形成されてよいが、本実施形態の場合には、図３に示すように円形の断面で形成している。
【００４０】
図４および図５を参照すると、このようなベース１２０は基準面１２１−１、１２１−２、１２１−３と固定突起１２３−１、１２３−２、１２３−３を含んでよい。基準面１２１−１、１２１−２、１２１−３は、支持部１１０と直角をなし、下部シャーシ６０の床面６１と接触するように形成される。固定突起１２３−１、１２３−２、１２３−３は、基準面１２１−１、１２１−２、１２１−３に直角となり、下部シャーシ６０に形成された固定孔６７に挿入されるように形成される。そのために、固定突起１２３−１、１２３−２、１２３−３は、下方傾斜となるように形成されてよい。固定突起１２３−１、１２３−２、１２３−３を固定孔６７に挿入すると、基準面１２１−１、１２１−２、１２１−３のいずれか一つが下部シャーシ６０の床面６１と接触し、支持部１１０が下部シャーシ６０の床面６１に垂直に固定される。
【００４１】
ベース１２０’は、図７に示すように、一つの固定突起１２３と一つの基準面１２１を含むように形成してよい。なお、別の例として、本実施形態のように、ベース１２０は様々な規格の液晶パネル組立体１０に使用されるバックライトユニット５０に使われるように複数の基準面１２１−１、１２１−２、１２１−３を有するように形成してよい。すなわち、図４に示すように、ベース１２０は３つの基準面１２１−１、１２１−２、１２１−３が支持部１１０の第１段１１１までの距離ｄ１、ｄ２、ｄ３が互いに異なる位置に形成されてよい。
【００４２】
通常、平板映像表示装置２００は、画面の大きさに応じて光拡散板８０と下部シャーシ６０の床面６１の間の間隔（以下、支持間隔という）が異なる。例えば、４０インチの映像表示装置２００の支持間隔は４６インチの映像表示装置２００の支持間隔より小さく、４６インチの映像表示装置２００の支持間隔は５５インチの映像表示装置２００の支持間隔より小さくてよい。図３ないし図５に示す本実施形態の場合には、４０インチ、４６インチ、５５インチの映像表示装置２００で光拡散板８０を支持できるようにベース１２０は３つの基準面１２１−１、１２１−２、１２１−３と３つの固定突起１２３−１、１２３−２、１２３−３を含むように形成される。
【００４３】
ベース１２０の第１固定突起１２３−１と第１基準面１２１−１は、５５インチの映像表示装置２００に使用するためのものである。よって、５５インチの映像表示装置２００の場合には、図８に示すように、支持部材１００はベース１２０の第１固定突起１２３−１が下部シャーシ６０の固定孔６７に挿入され、第１基準面１２１−１が下部シャーシ６０の床面６１と接触するように設けられる。ベース１２０の第２固定突起１２３−２と第２基準面１２１−２は、４６インチの映像表示装置２００に使用するためのものである。よって、ベース１２０の第２固定突起１２３−２は、４６インチの映像表示装置２００の下部シャーシ６０の固定孔６７に挿入され、第２基準面１２１−２が下部シャーシ６０の床面６１と接触するように支持部材１００が設けられる。図示はないが、４０インチの映像表示装置２００の場合には、第３固定突起１２３−３が４０インチの映像表示装置２００の下部シャーシ６０の固定孔６７に挿入され、第３基準面１２１−３が下部シャーシ６０の床面６１と接触するように支持部材１００が設けられる。よって、下部シャーシ６０の床面６１には、映像表示装置２００の大きさに応じて、第１ないし第３固定突起１２３−１、１２３−２、１２３−３のいずれか一つの固定突起に対応する大きさをもつ固定孔６７が形成されている。
【００４４】
補強部１３０は、ベース１２０の上面に設けられ、支持部１１０の前面１１０ａと後面１１０ｂのいずれか一方を支持するように形成される。補強部１３０は、薄い支持部１１０が座屈することを防止できるように形成される。補強部１３０は、図４に示すように、支持部１１０とベース１２０との間に三角形状に形成してよい。本実施形態の場合には、図２および図３に示すように、補強部１３０は、支持部１１０の前面１１０ａと後面１１０ｂとを支持できるように２つが形成される。別の例としては、補強部１３０は支持部１１０の前面１１０ａと後面１１０ｂのいずれか一方のみを支持するように形成してよい。ベース１２０と補強部１３０とは、支持部１１０と同一の透明な材質で形成することができる。
【００４５】
支持部材１００は、周辺の光源７０によって陰が形成されないように周辺の複数の光源７０の中心に設けることが望ましい。すなわち、隣接する複数の光源７０が形成する図形の中心に支持部材１００を設けることが望ましい。例えば、図１０に示すように、隣接する４つの光源７０−１、７０−２、７０−３、７０−４が長方形をなすように配置されている場合に、支持部材１００は上記４つの光源７０−１、７０−２、７０−３、７０−４を連結する２つの対角線７９−１、７９−２の交差点Ｃに設けることができる。
【００４６】
なお、支持部材１００は、光拡散板８０の中央部を支持できるように設けられる。例えば、２つの支持部材１００で光拡散板８０を支持する場合、図１１に示すように、２つの支持部材１００は光拡散板８０の中央部に対応する下部シャーシ６０の中央部に設けることができる。このとき、各々の支持部材１００は周辺の互いに隣接した4つの光源７０の中央に設ける。
【００４７】
上述のように、支持部材１００を透明な材質で薄い板状に形成すると、光源７０から放出される光が支持部材１００と通過し、支持部材１００による光の干渉が最小限化するため、支持部材１００の周囲の光源７０によって映像表示装置の画面に支持部材１００の陰が映ることを防止することができる。よって、本発明の一実施形態に係る支持部材１００で光拡散板８０を支持すると、原価削減のためにバックライトユニット５０に使用される光源７０の数を減らし、光拡散板８０を厚くしても画面に支持部材１００の陰が映ることを防止することができる。
【００４８】
図１２は、本発明の一実施形態に係る映像表示装置２００を概念的に示す断面図である。
【００４９】
図１２の映像表示装置２００は、液晶ディスプレイテレビ（ＬＤＣ  ＴＶ）を例示している。しかし、本発明は、コンピュータモニタのような別の類型のディスプレイ装置にも適用可能である。
【００５０】
映像表示装置２００は、上部ハウジング２１０および下部ハウジング２２０を含む。上部および下部ハウジング２１０、２２０は、上述の実施形態に係る液晶パネル組立体１０を内部に収容している。上述のように、液晶パネル組立体１０のバックライトユニット５０は、光拡散板８０を支持する少なくとも一つの支持部材１００を含んでよい。
【００５１】
液晶パネル組立体１０の後方には、映像表示装置２００に電気を供給するパワー基板２３０および液晶表示装置２００の動作を制御する制御基板２４０が配置される。図１２には、パワー基板２３０と制御基板２４０のみ示されているが、映像表示装置２００内には、別の機能のための別の印刷回路基板が更に具備可能であることは勿論である。
【００５２】
上述のように、液晶パネル組立体１０には、光拡散板８０を支持するために、本発明の一実施形態に係る少なくとも一つの支持部材１００が設けられるため、液晶パネル組立体１０を装着した図１２の液晶表示装置２００の画面１０ａに支持部材１００の陰が映らないようになる。
【００５３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0005616988.tif 000002
【図２】
0005616988.tif 000003
【図３】
0005616988.tif 000004
【図４】
0005616988.tif 000005
【図５】
0005616988.tif 000006
【図６】
0005616988.tif 000007
【図７】
0005616988.tif 000008
【図８】
0005616988.tif 000009
【図９】
0005616988.tif 000010
【図１０】
0005616988.tif 000011
【図１１】
0005616988.tif 000012
【図１２】
0005616988.tif 000013